(57)【要約】【課題】トンネル施工に関する種々のデータを統合し、効率的で迅速なデータ利用が可能となるトンネル管理技術を提供する。【解決手段】情報処理装置１００が、トンネルに関する各種情報とその発生位置情報を含むデータを入力部１０５で受け付け、各データが示す発生位置情報を、記憶部１０１における各要素２３の位置範囲情報に照合し、発生位置が位置範囲に含まれて該当データを関連付けるべき要素２３を特定し、当該特定した要素２３に該当データを関連付けて記憶部１０１に格納する処理と、データ表示要求を入力部１０５で受け付け、当該データ表示要求が示すトンネル軸線２２上の指定位置情報に応じた要素２３を記憶部１０１にて特定し、該当要素２３に関連付けられたデータを読み出して出力部１０６に表示する処理とを実行する。【選択図】図２
2014137270.tif 000002
【特許請求の範囲】
【請求項１】
トンネル軸線が所定間隔で区分された各要素の位置範囲情報を格納した記憶部と、
トンネルに関する各種情報とその発生位置情報を含むデータを入力部で受け付け、各データが示す発生位置情報を、記憶部における各要素の位置範囲情報に照合し、発生位置が位置範囲に含まれて該当データを関連付けるべき要素を特定し、当該特定した要素に該当データを関連付けて記憶部に格納する処理と、
データ表示要求を入力部で受け付け、当該データ表示要求が示すトンネル軸線上の指定位置情報に応じた要素を記憶部にて特定し、該当要素に関連付けられたデータを読み出して出力部に表示する処理とを実行する演算部と、
を備えることを特徴とするトンネル管理システム。
【請求項２】
前記演算部は、前記データ表示要求に応じてデータを表示する際、該当要素に関連付けられたデータのうち切羽観察データを記憶部より抽出し、出力部において、前記切羽観察データに応じた切羽表示上に、前記要素に関連付けられた他の各データを表示するものである、ことを特徴とする請求項１に記載のトンネル管理システム。
【請求項３】
前記演算部は、前記他の各データに予め付与されている、データ間の階層関係の情報に基づいて、前記切羽観察データに応じた切羽表示上に、前記他の各データを階層表示するものである、ことを特徴とする請求項２に記載のトンネル管理システム。
【請求項４】
前記演算部は、トンネル軸線を区分する前記所定間隔の指示を入力部で受け付け、当該受け付けた所定間隔でトンネル軸線を要素に区分し、該当各要素の位置範囲情報を記憶部に格納する処理を更に実行するものであることを特徴とする請求項１〜３のいずれかに記載のトンネル管理システム。
【請求項５】
トンネル軸線が所定間隔で区分された各要素の位置範囲情報を格納した記憶部を備える情報処理装置が、
トンネルに関する各種情報とその発生位置情報を含むデータを入力部で受け付け、各データが示す発生位置情報を、記憶部における各要素の位置範囲情報に照合し、発生位置が位置範囲に含まれて該当データを関連付けるべき要素を特定し、当該特定した要素に該当データを関連付けて記憶部に格納する処理と、
データ表示要求を入力部で受け付け、当該データ表示要求が示すトンネル軸線上の指定位置情報に応じた要素を記憶部にて特定し、該当要素に関連付けられたデータを読み出して出力部に表示する処理と、
を実行することを特徴とするトンネル管理方法。
【請求項６】
トンネル軸線が所定間隔で区分された各要素の位置範囲情報を格納した記憶部を備える情報処理装置に、
トンネルに関する各種情報とその発生位置情報を含むデータを入力部で受け付け、各データが示す発生位置情報を、記憶部における各要素の位置範囲情報に照合し、発生位置が位置範囲に含まれて該当データを関連付けるべき要素を特定し、当該特定した要素に該当データを関連付けて記憶部に格納する処理と、
データ表示要求を入力部で受け付け、当該データ表示要求が示すトンネル軸線上の指定位置情報に応じた要素を記憶部にて特定し、該当要素に関連付けられたデータを読み出して出力部に表示する処理と、
を実行させることを特徴とするトンネル管理プログラム。
【発明の詳細な説明】
【技術分野】
【０００１】
本発明は、トンネル管理システム、トンネル管理方法、およびトンネル管理プログラムに関するものであり、具体的には、トンネル施工に関する種々のデータを統合し、効率的で迅速なデータ利用が可能となるトンネル管理技術に関する。
【背景技術】
【０００２】
施工対象の地山を掘削し、トンネルを構築する際、施工中の切羽観察、各種計測（内空変位計測、ロックボルト軸力計測、鋼製支保工応力計測、吹付けコンクリート応力計測、地中変位計測など）を実施し、切羽における亀裂や湧水の有無、各種計測値が適正範囲内か否か、といった事項を踏まえた施工管理を行う。一方、近年の情報処理技術の進化に伴い、こうした施工管理に用いる切羽観察や計測値等の各種データをコンピュータに保存し、必要に応じて処理する技術が提案されている。該当技術としては、トンネル切羽画像を撮影し、このデータを取り込んで画像処理すると共に、画像処理したトンネル切羽画像データを撮影時期、撮影位置とともに蓄積し、必要に応じて切羽画像データから必要部分を切り出して表示し、観察データや解説を付与して出力するトンネル切羽画像収録処理システム（特許文献１）などが提案されている。
【先行技術文献】
【特許文献】
【０００３】
【特許文献１】特開平６−３１４５号公報
【発明の概要】
【発明が解決しようとする課題】
【０００４】
ところが従来技術において、処理対象となる各データに時期等を関連づけすることはあっても、各データを互いに関連した情報ソースとして統合化し管理することはなかった。また、トンネル施工に際して得られる、地形や地質に関するデータ、トンネルの設計データ、掘削や支保工等の施工データ、施工面等の劣化データらは、トンネル進行方向に沿って連続或いは断続しており、従来技術においてこれらを統合することは出来ない。
【０００５】
一方、トンネル施工中ないし竣工後の管理業務に際し、施工時のデータを迅速に把握するニーズがあるが、上述したように各データは統合化されておらず、担当者が必要とするデータを探し当てるためには、各データに関してそれぞれに検索を行い、担当者の知識や経験などに基づいて膨大なデータの統合作業を行う必要があった。従って、データを特定するだけでも相当な時間や手間がかかり、場合によっては必要なデータにたどり着けない事もあった。
【０００６】
そこで本発明では、トンネル施工に関する種々のデータを統合し、効率的で迅速なデータ利用が可能となるトンネル管理技術の提供を目的とする。
【課題を解決するための手段】
【０００７】
上記課題を解決する本発明のトンネル管理システムは、トンネル軸線が所定間隔で区分された各要素の位置範囲情報を格納した記憶部と、トンネルに関する各種情報とその発生位置情報を含むデータを入力部で受け付け、各データが示す発生位置情報を、記憶部における各要素の位置範囲情報に照合し、発生位置が位置範囲に含まれて該当データを関連付けるべき要素を特定し、当該特定した要素に該当データを関連付けて記憶部に格納する処理と、データ表示要求を入力部で受け付け、当該データ表示要求が示すトンネル軸線上の指定位置情報に応じた要素を記憶部にて特定し、該当要素に関連付けられたデータを読み出して出力部に表示する処理とを実行する演算部と、を備えることを特徴とする。
【０００８】
これによれば、施工対象の地山の地形や地質に関するデータ、トンネルの設計データ、掘削や支保工等の施工データ、施工面等の劣化データといった、トンネル進行方向に沿って連続或いは断続したデータを、要素毎に統合、管理することが可能となり、ユーザとしては、所望要素を指定することで、管理に必要なデータを効率的かつ迅速に利用可能となる。
【０００９】
なお、上述のトンネル管理システムにおける演算部は、データ表示要求に応じてデータを表示する際、該当要素に関連付けられたデータのうち切羽観察データを記憶部より抽出し、出力部において、切羽観察データに応じた切羽表示上に、要素に関連付けられた他の各データを表示するものである、としてもよい。これによれば、施工対象の地山の地形や地質に関するデータ、トンネルの設計データ、掘削や支保工等の施工データ、施工面等の劣化データといった各種データを、切羽面と併せてユーザに提示することが出来る。ユーザは切羽状態と共に、該当区間（要素）における地形、地質、支保工、変位といった情報を総合的に理解可能となる。
【００１０】
また、上述のトンネル管理システムにおける演算部は、他の各データに予め付与されている、データ間の階層関係の情報に基づいて、切羽観察データに応じた切羽表示上に、他の各データを階層表示するものである、としてもよい。これによれば、各種データの種類や数が非常に多い場合であっても、これらデータらを適宜階層化して整理した形で切羽面と併せてユーザに提示することが可能となり、ユーザ側でも各データの認識が容易となる。
【００１１】
また、上述のトンネル管理システムにおける演算部は、トンネル軸線を区分する所定間隔の指示を入力部で受け付け、当該受け付けた所定間隔でトンネル軸線を要素に区分し、該当各要素の位置範囲情報を記憶部に格納する処理を更に実行するものである、としてもよい。これによれば、施工進度等の施工条件やデータ管理上の都合などに応じて、データ管理の単位となる要素の範囲をユーザが任意に設定、変更出来ることとなる。
【００１２】
また、本発明のトンネル管理方法は、トンネル軸線が所定間隔で区分された各要素の位置範囲情報を格納した記憶部を備える情報処理装置が、トンネルに関する各種情報とその発生位置情報を含むデータを入力部で受け付け、各データが示す発生位置情報を、記憶部における各要素の位置範囲情報に照合し、発生位置が位置範囲に含まれて該当データを関連付けるべき要素を特定し、当該特定した要素に該当データを関連付けて記憶部に格納する処理と、データ表示要求を入力部で受け付け、当該データ表示要求が示すトンネル軸線上の指定位置情報に応じた要素を記憶部にて特定し、該当要素に関連付けられたデータを読み出して出力部に表示する処理と、を実行することを特徴とする。
【００１３】
また、本発明のトンネル管理プログラムは、トンネル軸線が所定間隔で区分された各要素の位置範囲情報を格納した記憶部を備える情報処理装置に、トンネルに関する各種情報とその発生位置情報を含むデータを入力部で受け付け、各データが示す発生位置情報を、記憶部における各要素の位置範囲情報に照合し、発生位置が位置範囲に含まれて該当データを関連付けるべき要素を特定し、当該特定した要素に該当データを関連付けて記憶部に格納する処理と、データ表示要求を入力部で受け付け、当該データ表示要求が示すトンネル軸線上の指定位置情報に応じた要素を記憶部にて特定し、該当要素に関連付けられたデータを読み出して出力部に表示する処理と、を実行させることを特徴とする。
【発明の効果】
【００１４】
本発明によれば、トンネル施工に関する種々のデータを統合し、トンネル管理のための効率的で迅速なデータ利用が可能となる。
【図面の簡単な説明】
【００１５】
【図１Ａ】本実施形態におけるトンネル管理システムの適用例を示す図である。
【図１Ｂ】本実施形態において管理対象たるトンネルの側断面図である。
【図１Ｃ】本実施形態において管理対象たるトンネルの平面図である。
【図２】本実施形態における管理サーバ（トンネル管理システム）のハードウェア構成例を示す図である。
【図３】本実施形態における要素情報テーブルの例を示す図である。
【図４】本実施形態における切羽観察データの例を示す図である。
【図５】本実施形態における計測値データの例を示す図である。
【図６】本実施形態におけるトンネル管理方法の処理フロー例１を示す図である。
【図７】本実施形態における出力画面例１を示す図である。
【図８】本実施形態における出力画面例２を示す図である。
【図９】本実施形態におけるトンネル管理方法の処理フロー例２を示す図である。
【発明を実施するための形態】
【００１６】
−−−トンネル管理方法の適用例およびシステム構成の例−−−
以下に本発明の実施形態について図面を用いて詳細に説明する。図１Ａは、本実施形態におけるトンネル管理システムの適用例を示す図であり、図１Ｂは本実施形態において管理対象たるトンネルの側断面図、図１Ｃは本実施形態において管理対象たるトンネルの平面図である。
【００１７】
本実施形態のトンネル管理方法は、トンネル施工に関する種々のデータを統合し、効率的で迅速なデータ利用が可能となるトンネル管理技術に対応したものであり、施工対象の地山の地形や地質に関するデータ、トンネルの設計データ、掘削や支保工等の施工データ、施工面等の劣化データといった、トンネル進行方向に沿って連続或いは断続したデータを、要素毎に統合、管理することが可能となり、ユーザとしては、所望要素を指定することで、管理に必要なデータを効率的かつ迅速に利用可能となる。
【００１８】
こうしたトンネル管理方法はトンネル管理システムたる管理サーバ１００が実行する。この管理サーバ１００はネットワーク１２０を介して種々の装置とデータ通信可能に結ばれており、切羽観察データや計測値データなどのデータの取得や処理結果の出力等の処理を実行可能である。この管理サーバ１００が実行するトンネル管理方法にて管理対象となるのは、図１Ａに例示するように、地山１０に施工されるトンネル２０となる。
【００１９】
トンネル２０の施工がなされる地山１０は、図１Ｂに示すように種々の性状を有する堆積物が積層し、所定標高の地層を形成している。このような地山１０に関しては、トンネル施工前にコンサルタント等が探査を行い、図１Ｂの如き地質図や各種の地形情報（ＧＩＳデータ：Geographic Information System data）のデータが得られている。また、トンネル２０の設計図、施工図の各データも予めトンネル施工企業などで用意されている。これら地質図や地形情報のデータ、設計図、施工図のデータは、施工企業等のユーザが入力部１０５を介して管理サーバ１００の記憶部１０１に格納しておくものとする。
【００２０】
なお、本実施形態において管理対象となるトンネル２０に関しては、図１Ｃに示すように、トンネル軸線２２を所定間隔で区分した要素２３が設定される。この要素２３に関する情報は、後述する要素情報テーブル１２５に格納されている。要素２３は、トンネル２０のうち、ユーザが、各種のデータ（地形図のデータ、切羽観察データ、各種の計測値データ等）を参照したい所望位置を管理サーバ１００上で指定する際の指定対象となる。こうした処理内容の詳細については後述する。
【００２１】
上述の地山１０に対する掘削作業が開始されると、掘削作業で生じた切羽面２１の観察業務が現場担当者により行われる。この切羽観察の手法としては、現場担当者が、切羽面２１の状態、ハンマによる割れ方、風化変質、割れ目間隔、割れ目形態、割れ目状態、及び湧水等の観察や該当箇所の撮影を行い、この観察結果や該当箇所の撮影画像を情報処理端末２００に保存し、所定の評価基準に基づき切羽面２１の健全度を評価するものとなる。或いは、担当者が上述の観察結果を紙の記入表に記入し、これをあらためて情報処理端末２００（ないし管理サーバ１００の入力部１０５）に入力するとしてもよい。
【００２２】
また、地山１０における掘削進行に伴って、地山１０の岩塊がトンネル壁面の吹付けコンクリートやトンネル躯体等を押圧し、ひいてはトンネル壁面に打設したロックボルトの軸力や鋼製支保へ作用する応力が増大する。そこで、施工中のトンネル２０においては、内空変位計測、ロックボルト軸力計測、鋼製支保工応力計測、吹付けコンクリート応力計測、地中変位計測などの各種計測が所定のセンサーシステム３００にて実施されており、この計測値が、トンネル管理方法における処理対象のデータとして管理サーバ１００にて取得されているものとする。
【００２３】
上述の切羽観察のデータについては切羽観察を行う現場担当者の情報処理端末２００から、また、各種計測値のデータについては計測を実行しているセンサーシステム３００から、いずれもネットワーク１２０を介して管理サーバ１００が、一定期間毎或いはデータが送られてくる度に取得するとしてよい。或いは、ユーザが入力部１０５を介して管理サーバ１００の記憶部１０１に格納するとしてもよい。
【００２４】
従って上述の情報処理端末２００、センサーシステム３００は、いずれも通信インターフェイスを具備しており、一定時間毎またはデータ発生毎のデータ送信をネットワーク１２０を介して管理サーバ１００に行うものである。屋外の、しかも山岳地帯などでの通信を行う場合、ケーブル回線よりも無線による通信回線を採用したほうが、急峻な地形や風雨等の条件に対応して通信を確立しやすい。よって、ネットワーク１２０は無線中継器で構成された無線ネットワークであると好適である（勿論、無線ではなく有線回線に対応したものであってもよい）。
【００２５】
続いて、管理サーバ１００のハードウェア構成について説明する。図２は、本実施形態における管理サーバ１００のハードウェア構成例を示す図である。管理サーバ１００は、ハードディスクドライブなど不揮発性の記憶部１０１、ＲＡＭなどの不揮発性の記憶手段であるメモリ１０３、記憶部１０１に保持しているプログラム１０２をメモリ１０３に読み出して実行するＣＰＵなどの演算部１０４、キーボードやマウスといった入力部１０５、ディスプレイやスピーカー、プリンタ等の出力部１０６、および、ＮＩＣ（Network Interface Card）やモデム、携帯電話モジュールなど、他装置と通信する通信部１０７を備えている。管理サーバ１００が本実施形態のトンネル管理方法の実行に必要な機能は、演算部１０４がプログラム１０２を実行することで実装される機能と言える。なお、情報処理端末２００についても管理サーバ１００と同様の一般的なコンピュータ装置としてのハードウェアを備えるものとする。
【００２６】
上述の記憶部１０１には、プログラム１０２の他に、管理対象となる上述のトンネル２０におけるトンネル軸線２２の形状と当該トンネル軸線２２が所定間隔で区分された各要素２３の位置範囲情報とを対応付けた要素情報テーブル１２５を格納している。また、記憶部１０１には、このほかにも、処理対象となるデータとして、切羽観察データ１２６、計測値データ１２７（内空変位計測、ロックボルト軸力計測、鋼製支保工応力計測、吹付けコンクリート応力計測、地中変位計測など）が記憶部１０１に格納されている。記憶部１０１に格納されたこれらデータの具体例については後述する。
【００２７】
続いて、管理サーバ１００の演算部１０４がプログラム１０２により実現する処理について説明する。管理サーバ１００は、トンネルに関する各種情報とその発生位置情報を含むデータを、入力部１０５、或いは、通信部１０７を介して情報処理端末２００ないしセンサーシステム３００から受け付け、各データが示す発生位置情報を、記憶部１０１の要素情報テーブル１２５における各要素２３の位置範囲情報に照合し、発生位置が位置範囲に含まれて該当データを関連付けるべき要素２３を特定し、当該特定した要素２３に該当データを関連付けて記憶部１０１に格納する機能を備えている。
【００２８】
また、管理サーバ１００は、ユーザによるデータ表示要求を入力部１０５で受け付け、当該データ表示要求が示すトンネル軸線２２上の指定位置情報に応じた要素２３を、記憶部１０１の要素情報テーブル１２５にて特定し、該当要素２３に関連付けられたデータを読み出して出力部１０６に表示する機能を備えている。
【００２９】
なお、管理サーバ１００は、上述のデータ表示要求に応じてデータを表示する際、該当要素２３に関連付けられたデータのうち切羽観察データ１２６を記憶部１０１より抽出し、出力部１０６において、切羽観察データ１２６に応じた切羽表示上に、該当要素２３に関連付けられた計測値データ１２７など他の各データを表示する機能を更に備えている。
【００３０】
また、管理サーバ１００は、上述の他の各データに予め付与されている、データ間の階層関係の情報に基づいて、切羽観察データ１２６に応じた切羽表示上に、他の各データを階層表示する機能を備えているとすれば好適である。階層関係の情報としては、計測値データ１２７を構成する各データの概念上の包含関係に応じた、上位下位を示すフラグなどが想定できる。例えば、「項目Ａ」に関する計測値データとして、「項目ａ」〜「項目ｃ」の３種の計測値データが存在する場合、「項目Ａ」に関する計測値データには、階層関係上の上位フラグが付与されており、「項目ａ」〜「項目ｃ」の計測値データには、「項目Ａ」と比べて階層関係上の下位フラグが付与されている。或いは、情報処理端末２００ないしセンサーシステム３００から受け付けたデータが、データ項目毎およびデータ発生位置毎に計測値データを格納したフォルダ構造をなしている場合、管理サーバ１００は、例えば、データ項目のフォルダに、該当データ項目に関してデータ発生位置毎に計測値データを格納した各フォルダを入れ子構造で格納し、そうした各データ項目のフォルダを切羽観察データ１２６に応じた切羽表示上に表示するとしてもよい。
【００３１】
また、管理サーバ１００は、トンネル軸線２２を区分する所定間隔のユーザ指示を入力部１０５、ないし情報処理端末２００から受け付け、当該受け付けた所定間隔で、要素情報テーブル１２５が示すトンネル２０におけるトンネル軸線２２を区分して要素２３を特定する機能を備えているとしてもよい。この場合、管理サーバ１００は、要素情報テーブル１２５におけるトンネル軸線２２の形状情報（トンネル軸線２２の座標情報、或いはトンネル軸線２２を示す曲線の数式）が示すトンネル軸線２２の線分を、上述のユーザ指定の所定間隔の線分長毎に区分して要素２３を決定する。また、管理サーバ１００は、決定した各要素２３に対応したトンネル軸線２２の形状情報から、トンネル軸線２２の座標情報を抽出し、これを該当要素２３の位置範囲情報と特定する。管理サーバ１００は、ユーザ指定の所定間隔に応じて特定した各要素２３の位置範囲情報を記憶部１０１の要素情報テーブル１２５に格納することとなる。
【００３２】
なお、管理サーバ１００は、入力部１０５、或いは情報処理端末２００やセンサーシステム３００からデータを得た際に、トンネル軸線２２上の或る位置範囲（記憶部１０１にてデフォルトで仮定してある座標範囲）に含まれるデータ数が所定数以上となるよう、デフォルトの位置範囲をトンネル軸線２２上でトンネル進行方向前後にずらす或いは伸縮するなどして特定する機能を備えているとしてもよい。この場合、管理サーバ１００は、各データの発生位置を示す座標と、位置範囲を示す座標範囲とを照合し、該当座標範囲中に座標が含まれるデータの数をカウントし、このカウント値が上述の所定数に達するまで、位置範囲（を示す座標範囲）をトンネル軸線２２上でトンネル進行方向前後にずらす或いは伸縮することとなる。管理サーバ１００は、こうして特定した位置範囲に対応するトンネル軸線２２の区分を要素２３とし、当該要素２３に位置範囲情報を対応付けて記憶部１０１の要素情報テーブル１２５に格納するとしてもよい。これによれば、施工進度等の施工条件に対応する形で、データ管理の単位となる要素２３の範囲が設定されることとなる。また、施工条件の変化に応じて要素２３の範囲が自動修正される効果も奏する。
【００３３】
ここで、管理サーバ１００が演算部１０４によりプログラム１０２を実行することで、必要な機能を実装する例をあげたが、必要な機能を実現する電子回路等を管理サーバ１００が備えていて、同様の処理を実行するとしても勿論問題ない。
【００３４】
−−−データの例−−−
次に、本実施形態において処理するデータの具体例について説明する。図３は本実施形態における要素情報テーブル１２５の例を示す図である。要素情報テーブル１２５は、管理対象となるトンネル２０におけるトンネル軸線２２の形状を示す座標群ないし数式と、当該トンネル軸線２２が所定間隔で区分された各要素２３（図１Ｃ参照）の位置範囲情報（例：要素２３に対応するトンネル軸線２２の両端座標）とを対応付けたテーブルである。
【００３５】
また、図４は、本実施形態における切羽観察データ１２６の例を示す図である。切羽観察データ１２６は、トンネル軸線２２上での切羽の位置座標、該当切羽の状態、ハンマによる割れ方、風化変質、割れ目間隔、割れ目形態、割れ目状態、及び湧水等の観察結果と、観察箇所に対する撮影画像とが対応付けて格納されたテーブルである。
【００３６】
また、図５は、本実施形態における計測値データ１２７の例を示す図である。計測値データ１２７は、トンネル２０に関してセンサーシステム３００が実行した、内空変位計測、ロックボルト軸力計測、鋼製支保工応力計測、吹付けコンクリート応力計測、地中変位計測の各計測値データを、計測位置すなわち計測値データの発生位置と対応付けて格納したテーブルである。
【００３７】
−−−処理フローの例−−−
次に、本実施形態のトンネル管理方法の処理フローについて説明する。図６は、本実施形態のトンネル管理方法の処理フロー例１を示す図である。管理サーバ１００は、トンネル２０に関する処理対象のデータを、入力部１０５、或いは、通信部１０７を介して情報処理端末２００ないしセンサーシステム３００から受け付ける（ｓ１００）。ここで受け付けるデータとしては、上述したように、地山１０の地質図や地形情報のデータ、および、切羽観察データ、計測値データがあげられる。これらのデータは、それぞれの発生した位置、或いは取得された位置を示す座標値を付帯しているものとする。
【００３８】
続いて管理サーバ１００は、上述のステップｓ１００で得たデータが示す発生位置情報たる座標値を、記憶部１０１の要素情報テーブル１２５における各要素２３の位置範囲情報に照合し、発生位置の座標値が位置範囲情報たる所定の座標範囲に含まれており、該当データを関連付けるべきである要素２３を特定する（ｓ１０１）。例えば、或るデータが示す発生位置情報たる座標値が「１００、１００」である場合、これを、要素情報テーブル１２５における各要素２３の位置範囲情報に照合し、発生位置の座標値「１００、１００」を座標範囲「５０、５０」〜「１５０、１５０」に含んでいる或る要素２３を、該当データを関連付けるべき要素２３として特定する。
【００３９】
管理サーバ１００は、ステップｓ１０１で特定した要素２３に、該当データを関連付けて記憶部１０１に格納する（ｓ１０２）。この格納処理は、要素情報テーブル１２５における該当要素２３のレコードに、該当データを格納する処理としてもよい。
【００４０】
その後、管理サーバ１００は、ユーザによるデータ表示要求を、入力部１０５で受け付けるか、或いは、ネットワーク１２０を介した情報処理端末２００など所定のユーザ端末から受け付け（ｓ１０３）、当該データ表示要求が示すトンネル軸線２２上の或る座標値に応じた要素２３を、記憶部１０１の要素情報テーブル１２５にて特定する（ｓ１０４）。このデータ表示要求を受け付ける際、管理サーバ１００は、記憶部１０１の要素情報テーブル１２５から、トンネル軸線２２の形状のデータを読み出し、これを出力部１０６において、トンネル軸線２２上の所望位置の指定受け付け可能に表示し（例：クリッカブルに表示）、入力部１０５ないし所定端末を介し、トンネル軸線２２上の或る座標値に関するデータ表示要求をユーザから受け付けるとすれば好適である。
【００４１】
トンネル施工中に切羽や支保等の状況確認を行う場合や、トンネル竣工後に生じた問題箇所について確認を行う場合などに、ユーザは入力部１０５や情報処理端末２００を用いて管理サーバ１００にアクセスし、確認したい所望位置について、該当トンネル２０に関する上述の軸線表示に沿って軸線２２上の各位置を指定し、データ表示要求を順次行うこととなる。
【００４２】
ステップｓ１０４にてデータ表示要求に応じた要素２３を特定した管理サーバ１００は、該当要素２３に関連付けられたデータを記憶部１０１から読み出し、これを出力部１０６に表示する（ｓ１０５）。この時、管理サーバ１００は、特定した要素２３に関連付けられたデータのうち切羽観察データ１２６を記憶部１０１より抽出し、この切羽観察データ１２６が含む切羽面の撮影画像７３を主たる表示物とし、これに切羽状態や風化変質、湧水等の切羽観察結果のデータ７４を加え、出力部１０６にて切羽表示７０を行う。管理サーバ１００は、この切羽表示７０上に、該当要素２３に関連付けられた計測値データ１２７など他の各データ７１を表示する（図７参照）。該当要素２３に関連付けされる切羽観察データ１２６が複数ある場合、例えば図７で例示するように、複数の切羽観察データ１２６の存在をユーザが認識できるよう、切羽観察結果のデータ７４や切羽面の撮影画像７３らをデータ毎に重ねて表示する。同様に、該当要素２３に関連付けされる計測値データ１２７のセット（１つの発生位置に対応付けされた計測値データのセット）が複数ある場合、例えば図７で例示するように、複数の計測値データ１２７の存在をユーザが認識できるよう重ねて表示する。ユーザは、必要に応じて、最前面に表示されている撮影画像７３や切羽観察結果のデータ７４、計測値データ１２７の下に重ねられている、他の撮影画像７３や切羽観察結果データ７４や計測値データ１２７をクリックし、管理サーバ１００に対して、最上面での表示対象の変更を指示するものとできる。管理サーバ１００では、この指示を受けた撮影画像７３や切羽観察結果のデータ７４、計測値データ１２７を最前面に表示させる。
【００４３】
こうして切羽表示７０上に表示される計測値データ１２７は、各データに予め付与されているデータ間の階層関係の情報に基づいて、図８に例示するように、各項目がツリー形式で連関するツリー構造８０、或いは、内部に計測値データをそれぞれ格納したフォルダ８１、などの階層表示がなされるとすれば好適である。
【００４４】
図８に示したツリー構造８０は、「切羽観察結果」なるアイコンを最上位とし、これの直下に「切羽位置」が、そして「切羽位置」の下位に「切羽状態」、「割れ方」、「風化変質」等のアイコンが並列して従属したツリー構造となっている。また、「切羽状態」、「割れ方」、「風化変質」の下位には、それぞれの観察結果の値が従属しており、図８の例では、「切羽状態」のアイコンをユーザがクリックし、その値として「自立するが多少肌落ち・・」なる表示がなされている。該当要素２３に関連付いた切羽観察データ１２６が複数ある場合、図７の場合と同様に、複数の切羽観察データ１２６の存在をユーザが認識できるよう、切羽観察結果のデータ７４の「切羽位置」に関するアイコンや、切羽面の撮影画像７３らをデータ毎に重ねて表示し、ユーザによる表示対象の入れ替えを受け付けるとすればよい。
【００４５】
また、フォルダ８１は、その内部に、各発生位置に対応付けされた計測値データのセットを保持する各フォルダを更に格納している。ユーザは参照したい発生位置に対応したフォルダをクリックして開き、計測値データを参照出来る。
【００４６】
なお、トンネル軸線形状の表示や、切羽観察データ１２５に基づく出力部１０６での切羽表示７０の出力に際し、管理サーバ１００は、トンネル軸線２２を示す座標値や、切羽観察データ１２５が示す切羽形状やその位置の座標値（いずれも三次元座標系に対応したもの）を、三次元ＣＡＤプログラムに適用し、トンネル軸線２２や切羽面２１の三次元表示を行うとすれば好適である。
【００４７】
また、切羽表示７０と併せて表示される計測値データのうち、例えば、ロックボルト軸力計測、鋼製支保工応力計測、吹付けコンクリート応力計測の計測値データについては、管理サーバ１００が、ロックボルト、鋼製支保工、吹付けコンクリートの各仕様や施工データといった、いわゆるＢＩＭ（Building Information Modeling：ビルディング・インフォメーション・モデリング）用のデータを、予め入力部１０５を介してユーザから取得しておくと良い。この場合、管理サーバ１００は、これらのＢＩＭ用データ７２を該当要素２３の計測値データと共に出力部１０６で表示する。こうした処理を更に実行することで、切羽変化やそれに対応した支保構造等の変化、地山特徴変化等が視覚化され、ユーザとしては、施工上の問題或いは事故発生原因となった箇所の特定が更に迅速化出来る。
【００４８】
なお、上述してきた要素２３の範囲、すなわちトンネル軸線２２を区分する間隔についてユーザから指示を受け、管理サーバ１００が要素２３を特定する処理を行うとしてもよい。図９は、本実施形態のトンネル管理方法の処理フロー例２を示す図である。
【００４９】
この場合、管理サーバ１００は、トンネル軸線２２を区分する間隔に関するユーザ指示を入力部１０５、ないし情報処理端末２００から受け付ける（ｓ２００）。管理サーバ１００は、ステップｓ２００で受け付けた間隔、例えば、トンネル軸線２２の所定の線分長で、要素情報テーブル１２５におけるトンネル軸線２２の形状情報（トンネル軸線２２の座標情報、或いはトンネル軸線２２を示す曲線の数式）が示すトンネル軸線２２の線分を区分し、要素２３を決定する（ｓ２０１）。
【００５０】
管理サーバ１００は、決定した各要素２３（上述の線分長に対応したトンネル軸線２２の一部）に対応したトンネル軸線２２の形状情報（要素情報テーブル１２５が保持）から、トンネル軸線２２の座標情報を抽出して、これを該当要素２３の位置範囲情報と特定し（ｓ２０２）、記憶部１０１の要素情報テーブル１２５に格納する（ｓ２０３）。
【００５１】
なお、上述したようにユーザが指示した間隔に応じて要素２３を特定するのではなく、管理サーバ１００において、トンネル軸線２２上の或る位置範囲（記憶部１０１にてデフォルトで仮定してある座標範囲）に含まれるデータ数が所定数以上となるよう、デフォルトの位置範囲をトンネル軸線２２上でトンネル進行方向前後にずらす或いは伸縮するなどして特定するとしてもよい。この場合、管理サーバ１００は、各データの発生位置を示す座標と、位置範囲を示す座標範囲とを照合し、該当座標範囲中に座標が含まれるデータの数をカウントし、このカウント値が上述の所定数に達するまで、位置範囲（を示す座標範囲）をトンネル軸線２２上でトンネル進行方向前後にずらす或いは伸縮することとなる。管理サーバ１００は、こうして特定した位置範囲に対応するトンネル軸線２２の区分を要素２３とし、当該要素２３に位置範囲情報を対応付けて記憶部１０１の要素情報テーブル１２５に格納するとしてもよい。これによれば、変化する可能性のある施工進度等の施工条件に対応する形で、データ管理の単位となる要素の範囲が設定されることとなる。また、施工条件の変化に応じて要素の範囲が自動修正される効果も奏する。
【００５２】
以上、本実施形態によれば、トンネル施工に関する種々のデータを統合し、トンネル管理業務に際し効率的で迅速なデータ利用が可能となる。
【００５３】
以上、本発明の実施の形態について、その実施の形態に基づき具体的に説明したが、これに限定されるものではなく、その要旨を逸脱しない範囲で種々変更可能である。
【符号の説明】
【００５４】
１０  地山
２０  トンネル
２１  切羽面
２２  トンネル軸線
２３  要素
１００  管理サーバ（＝トンネル管理システム）
１０１  記憶部
１０２  プログラム
１０３  メモリ
１０４  演算部
１０５  入力部
１０６  出力部
１０７  通信部
１２０  ネットワーク
１２５  要素情報テーブル
１２６  切羽観察データ
１２７  計測値データ
２００  情報処理端末
３００  センサーシステム
【図１Ａ】
2014137270.tif 000003
【図１Ｂ】
2014137270.tif 000004
【図１Ｃ】
2014137270.tif 000005
【図２】
2014137270.tif 000006
【図３】
2014137270.tif 000007
【図４】
2014137270.tif 000008
【図５】
2014137270.tif 000009
【図６】
2014137270.tif 000010
【図７】
2014137270.tif 000011
【図８】
2014137270.tif 000012
【図９】
2014137270.tif 000013